(57)【要約】【課題】複数桁で構成された異常コードが容易且つ迅速に把握できる燃焼装置を提供すること。【解決手段】検知した燃焼装置の異常の種類を表示し且つ前記燃焼装置の本体ケース（１１）内に配設された異常表示ランプ（７１）と、前記異常の種類に応じて前記異常表示ランプ（７１）の点滅態様を制御する制御装置と、を具備する燃焼装置に於いて、２桁以上の桁数を有する異常コードの集合から、前記検知した異常の種類に対応する異常コードを特定するコード特定手段が設けられており、前記異常表示ランプ（７１）は、前記特定された異常コードの各桁の夫々に対応する複数の桁表示ランプ（７２）（７３）によって構成されており、前記制御装置は、前記特定された異常コードの各桁が示す数値を表現する点滅パターンで各桁に対応する桁表示ランプ（７２）（７３）を点滅させること。【選択図】　　図１
2004036900.tif 000002
【特許請求の範囲】
【請求項１】
燃焼装置の異常を種類別に検知する異常検知手段と、
前記検知した異常の種類を表示し且つ前記燃焼装置の本体ケース内に配設された異常表示ランプと、
前記異常の種類に応じて前記異常表示ランプの点滅態様を制御する制御装置と、を具備する燃焼装置に於いて、
２桁以上の桁数を有する異常コードの集合から、前記検知した異常の種類に対応する異常コードを特定するコード特定手段が設けられており、
前記異常表示ランプは、前記特定された異常コードの各桁の夫々に対応する複数の桁表示ランプによって構成されており、
前記制御装置は、前記特定された異常コードの各桁が示す数値を表現する点滅パターンで各桁に対応する桁表示ランプを点滅させる、燃焼装置。
【請求項２】
請求項１に記載の燃焼装置に於いて、
前記点滅パターンは、前記異常コードの各桁が示す数値に相当する回数だけ各桁に対応する桁表示ランプを各別に点滅させるパターンである、燃焼装置。
【請求項３】
請求項１に記載の燃焼装置に於いて、前記桁表示ランプが短時間周期で点滅する短時間点滅と、前記短時間点滅が設定複数回数繰り返されることに対応する長時間点滅の２種類の点滅態様を準備し、
前記点滅パターンは、前記特定された異常コードの各桁が示す数値を前記２種類の点滅態様の組合せによって表現するように、各桁に対応する桁表示ランプを点滅させるパターンである、燃焼装置。
【請求項４】
請求項１から請求項３の何れかに記載の燃焼装置に於いて、
前記各桁表示ランプは、制御用の配線基板に設けられている、燃焼装置。
【請求項５】
請求項１から請求項４の何れかに記載の燃焼装置に於いて、
前記各桁表示ランプの発光色は、各桁毎に異なっている、燃焼装置。
【請求項６】
燃焼装置の異常を種類別に検知する異常検知手段と、
前記検知した異常の種類を表示し且つ前記燃焼装置の本体ケース内に配設された異常表示ランプと、
前記異常の種類に応じて前記異常表示ランプの点滅態様を制御する制御装置と、を具備する燃焼装置に於いて、
２桁以上の桁数を有する異常コードの集合から、前記検知した異常の種類に対応する異常コードを特定するコード特定手段が設けられており、
前記異常表示ランプは、前記異常コードの下２桁を表現する為の２色発光ダイオードを備えており、
前記制御装置は、前記異常コードの１桁目の数値を表現する点滅パターンで前記２色発光ダイオードを一方の発光色で点滅させる一方、前記異常コードの２桁目の数値を表現する点滅パターンで前記２色発光ダイオードを他方の発光色で点滅させる機能を備えている、燃焼装置。
【請求項７】
燃焼装置の異常を種類別に検知する異常検知手段と、
前記検知した異常の種類を表示し且つ前記燃焼装置の本体ケース内に配設された異常報知ブザーと、
前記異常の種類に応じて前記異常報知ブザーによる報知態様を制御する制御装置と、を具備する燃焼装置に於いて、
２桁の異常コードの集合から前記検知した異常の種類に対応する異常コードを特定するコード特定手段が設けられており、
前記異常報知ブザーは、周波数が異なる第１の音と第２の音を出す機能を備えており、
前記制御装置は、前記異常コードの１桁目の数値を表現するパターンで前記第１の音を発生させるように前記異常報知ブザーを動作させる一方、前記異常コードの２桁目の数値を表現するパターンで前記第２の音を発生させるように前記異常報知ブザーを動作させる、燃焼装置。
【発明の詳細な説明】
【０００１】
【発明の属する技術分野】
本発明は、運転状態の異常表示機能を備えた燃焼装置に関するものである。
【０００２】
【従来の技術】
発生した故障の種類を燃焼装置としての給湯器自身が自己診断してその結果を異常コードでリモコン装置の表示部に表示する給湯器がある。
このものでは、修理・点検時に、前記リモコン装置の操作部に配設された隠しスイッチを操作すると、異常コードを示す数字や文字が前記リモコン装置の表示部に表示される。従って、上記表示部に数字等で表示された前記異常コードと作業者が別途用意したコード表を照合させることにより異常内容を確認することが出来る。
【０００３】
ところが、このものでは、修理・点検の作業場所たる給湯器本体の設置場所と台所や風呂のリモコン配設場所が離れており、前記作業場所からリモコン配設場所の前記リモコン装置まで異常コードを確認しに行くのは作業効率が悪くなることから、作業者が別途用意した作業用のリモコン装置を、前記台所等のリモコン装置用の接続端子（給湯器本体内の制御基板に設けられている）に付け替え、該作業用のリモコン装置を用いて異常コードの確認を行うようにしている。従って、上記作業用のリモコン装置を付替える作業が必要となることから、修理・点検の作業が煩雑化する。
【０００４】
一方、給湯器で沸かした固定温度の高温水を給湯場所の湯水混合栓で所望温度までぬるめる形式（出湯温固定式）の給湯器が知られているが、このものでは、前記リモコン装置が設けられていないことから、上記異常コードを表示することができない。そこで、かかる出湯温固定式の給湯器において、器具の修理点検場所で異常コードの確認を可能ならしめるため、異常コード表示用の特別な液晶表示器や７セグメントＬＥＤを器具本体内に設けることも考えられるが、かかる場合、特別な液晶表示器等を設けるとコスト高を招来することから、これを回避する為に異常表示ランプを器具本体内に配設し、これをシリアル信号で点滅させるようにすること（特開２０００−１３２１０号）も考えられる。
【０００５】
【発明が解決しようとする課題】
しかしながら、異常表示ランプをシリアル信号で点滅させる場合は、該点滅表示を、１０進数や１６進数等の異常コードに変換する作業が必要となり、この変換した異常コードからコード表を用いて具体的な異常の内容を検索しなければならない。このことから、シリアル信号による前記点滅表示を複数桁の異常コード（１０進数や１６進数で定められたもの）に変換しなければならない分だけ、異常内容の特定に手間が掛かるという問題があった。
【０００６】
本発明はかかる点に鑑みてなされたもので、複数桁で構成された異常コードが容易且つ迅速に把握できるようにすることを課題とする。
【０００７】
【課題を解決するための手段】
［１項］
上記課題を解決するための本発明の技術的手段は、
『燃焼装置の異常を種類別に検知する異常検知手段と、
前記検知した異常の種類を表示し且つ前記燃焼装置の本体ケース内に配設された異常表示ランプと、
前記異常の種類に応じて前記異常表示ランプの点滅態様を制御する制御装置と、を具備する燃焼装置に於いて、
２桁以上の桁数を有する異常コードの集合から、前記検知した異常の種類に対応する異常コードを特定するコード特定手段が設けられており、
前記異常表示ランプは、前記特定された異常コードの各桁の夫々に対応する複数の桁表示ランプによって構成されており、
前記制御装置は、前記特定された異常コードの各桁が示す数値を表現する点滅パターンで各桁に対応する桁表示ランプを点滅させる』ことである。
【０００８】
上記技術的手段によれば、異常検知手段が燃焼装置の異常を検知すると、該異常の種類に対応する異常コード（複数の桁によって構成されている）がコード特定手段によって特定される。
そして、特定された異常コードの各桁が示す数値を表現する点滅パターンで各桁に対応する夫々の桁表示ランプが点滅される。
これにより、各桁表示ランプの点滅パターンを見ることにより、異常コードを各桁別に認識することができ、複数桁で構成された異常コードを容易且つ迅速に把握することができる。
【０００９】
［２項］
前記１項に於いて、
『前記点滅パターンは、前記異常コードの各桁が示す数値に相当する回数だけ各桁に対応する桁表示ランプを各別に点滅させるパターンである』ものとすることができる。
このものでは、例えば、異常コード「２７」を表示する場合は、異常コード「２７」の２桁目に対応する桁表示ランプが２回点滅し、１桁目に対応する桁表示ランプが７回点滅し、これにより、異常コード「２７」が表示される。
【００１０】
［３項］
前記１項に於いて、
『前記桁表示ランプが短時間周期で点滅する短時間点滅と、前記短時間点滅が設定複数回数繰り返されることに対応する長時間点滅の２種類の点滅態様を準備し、
前記点滅パターンは、前記特定された異常コードの各桁が示す数値を前記２種類の点滅態様の組合せによって表現するように、各桁に対応する桁表示ランプを点滅させるパターンである』ものとすることができる。
【００１１】
このものでは、例えば、５回の短時間点滅に対して１回の長時間点滅が対応するように設定しておくと、異常コード「２７」を表現する場合は、異常コード「２７」の２桁目に対応する桁表示ランプが短時間点滅を２回実行する一方、１桁目に対応する桁表示ランプが１回の長時間点滅と２回の短時間点滅を実行する。
このものでは、複数回の短時間点滅を１回の長時間点滅で表示することができるから、作業者が桁表示ランプの点滅を数える回数が少なくなって作業性が向上する。
【００１２】
［４項］
前記１項〜３項に於いて、燃焼装置の本体ケース内の何れの場所に各桁表示ランプを配設しても良いが、
『前記各桁表示ランプは、制御用の配線基板に設けられている』ものとすることもできる。
【００１３】
［５項］
前記１項〜４項に於いて、
『前記各桁表示ランプの発光色は、各桁毎に異なっている』ものでは、修理・点検の作業場所が暗い場合であっても、又、見えにくい場所に桁表示ランプが配設されている場合であっても、点滅する各桁表示ランプを発光色の相違により容易に識別することができる。
【００１４】
［６項］
上記課題を解決する為の６項の発明の技術的手段は、
『燃焼装置の異常を種類別に検知する異常検知手段と、
前記検知した異常の種類を表示し且つ前記燃焼装置の本体ケース内に配設された異常表示ランプと、
前記異常の種類に応じて前記異常表示ランプの点滅態様を制御する制御装置と、を具備する燃焼装置に於いて、
２桁以上の桁数を有する異常コードの集合から、前記検知した異常の種類に対応する異常コードを特定するコード特定手段が設けられており、
前記異常表示ランプは、前記異常コードの下２桁を表現する為の２色発光ダイオードを備えており、
前記制御装置は、前記異常コードの１桁目の数値を表現する点滅パターンで前記２色発光ダイオードを一方の発光色で点滅させる一方、前記異常コードの２桁目の数値を表現する点滅パターンで前記２色発光ダイオードを他方の発光色で点滅させる機能を備えている』ことである。
【００１５】
このものでは、単一の二色発光ダイオードで異常コードの１桁目及び２桁目を各別に表現することができるから、桁数分の発光ランプを必要とする既述１項の発明に比べて光源の数を少なくすることができる。
【００１６】
［７項］
上記課題を解決する為の７項の発明の技術的手段は、
『燃焼装置の異常を種類別に検知する異常検知手段と、
前記検知した異常の種類を表示し且つ前記燃焼装置の本体ケース内に配設された異常報知ブザーと、
前記異常の種類に応じて前記異常報知ブザーによる報知態様を制御する制御装置と、を具備する燃焼装置に於いて、
２桁の異常コードの集合から前記検知した異常の種類に対応する異常コードを特定するコード特定手段が設けられており、
前記異常報知ブザーは、周波数が異なる第１の音と第２の音を出す機能を備えており、
前記制御装置は、前記異常コードの１桁目の数値を表現するパターンで前記第１の音を発生させるように前記異常報知ブザーを動作させる一方、前記異常コードの２桁目の数値を表現するパターンで前記第２の音を発生させるように前記異常報知ブザーを動作させる』ことである。
【００１７】
上記技術的手段によれば、一方の桁で表現すべき数を第１の音で表すことができる一方、他方の桁で表現すべき数を第２の音で表すことができる。これにより、異なった周波数の音により、異常コードを各桁別に認識することができるから、２桁構成の異常コードを容易且つ迅速に把握することができる。
【００１８】
【発明の効果】
本発明は次の特有の効果を有する。
１項〜５項の発明によれば、各桁表示ランプの点滅パターンを見ることにより、異常コードを各桁別に認識することができるから、複数桁で構成された異常コードを容易且つ迅速に把握することができる。
【００１９】
３項のものによれば、既述したように、作業者が桁表示ランプの点滅を数える回数が少なくなって作業性が向上する。
【００２０】
５項のものでは、修理・点検の作業場所が暗い場合であっても、又、桁表示ランプが見えにくい場所に配設されている場合であっても、点滅する各桁表示ランプを発光色の相違により容易に識別することができる。
【００２１】
６項のものでは、単一の二色発光ダイオードで異常コードの１桁目及び２桁目を各別に表現することができるから、桁数分の発光ランプを必要とする場合に比べて光源の数を少なくするこができる。
【００２２】
７項のものでは、異なった周波数の音により、異常コードを各桁別に認識することができるから、２桁構成の異常コードを容易且つ迅速に把握することができる。
【００２３】
【発明の実施の形態】
次に、上記発明を給湯器に適用した場合の実施の形態を説明する。
［第１実施形態］
第１実施形態の給湯器は、給湯器本体で沸かした固定温度（例えば、８０℃）の高温水を給湯場所の湯水混合栓で所望温度までぬるめる形式（出湯温固定式）のものである。
【００２４】
図１に示すように、本体ケース（１１）に配設された燃焼箱（１２）内には、ガスバーナ（１３）が設けられていると共に、該ガスバーナ（１３）へのガス回路（１４）にはガス元弁（１６）とガス比例弁（１５）がこの順序で上流側から配設されている。
上記ガスバーナ（１３）の上方には、これに点火する為の点火装置（２１）と、ガスバーナ（１３）の炎を検知する為のフレームロッド（２２）が配設されている。
【００２５】
燃焼箱（１２）の底壁（１７）には、給気ファン（３１）の空気吐出口（３２）が接続されていると共に、燃焼箱（１２）の上端近傍には、排気口（１０）が開設されている。又、燃焼箱（１２）の側壁（１８）には温度ヒューズ（３４）が添設されている。
【００２６】
燃焼箱（１２）内のガスバーナ（１３）の上方には熱交換器（４１）が配設されていると共に、該熱交換器（４１）に給水する給水回路（４２）には、該給水回路（４２）の流量を検知する為の流量センサ（４３）が配設されている。その一方、熱交換器（４１）から下流側に引き出された給湯回路（４４）には出湯温センサ（４５）が配設されていると共に、該給湯回路（４４）には台所や浴室に設けられた湯水混合栓（５１）やシャワー（５２）用のシャワー用混合栓（５３）が配設されており、これら湯水混合栓（５１）（５３）には、水道配管からの冷水を供給する為の冷水回路（５４）が接続されている。
【００２７】
図２に示すように、上記給気ファン（３１）やガス元弁（１６）等の電気部品は電装装置（６１）の制御用の配線基板（６２）に接続されていると共に、図１，図２に示すように、上記配線基板（６２）には、図３のコード表に示す２桁構成の異常コードＸＹを表示する為の異常表示ランプ（７１）が配設されており、異常表示ランプ（７１）を構成する一方の桁用の桁表示ランプ（７２）と他方の桁用の桁表示ランプ（７３）の夫々は、前者は緑色の発光ダイオードで、後者は赤色の発光ダイオードで構成されている。
【００２８】
又、配線基板（６２）は、本体ケース（１１）内に於いて鉛直に起立した姿勢で配設されると共に、該配線基板（６２）には、上記桁表示ランプ（７２）（７３）が上下に並んだ状態で配設されている。
【００２９】
そして、上記桁表示ランプ（７２）は、既述異常コードＸＹの、２桁目の桁の数値Ｘを表示する機能を有している一方、他方の桁表示ランプ（７３）は、既述異常コードＸＹの、１桁目の数値Ｙを表示する機能を有している。即ち、図３に示異常コード表（器具を修理点検する作業者が所持している。）に記載された「給気ファン異常」に対応する異常コード２７を表示する場合には、桁表示ランプ（７２）は、上記異常コード２７の２桁目の数値「２」に対応する数の点滅回数（２回）だけ一定周期で点滅動作する。一方、他方の桁表示ランプ（７３）は、上記異常コード２７の１桁目の数値「７」に対応する数の点滅回数（７回）だけ一定周期で点滅動作する機能を有している。
【００３０】
上記給湯器の制御装置に組み込まれた図示しないマイクロコンピュータには、図４のフローチャートで示す内容の制御プログラムが格納されており、以下、図４のフローチャートに従って、本実施の形態に係る給湯器の動作を説明する。
【００３１】
例えば、台所等に配設された湯水混合栓（５１）が開放されると、給水回路（４２）に配設された流量センサ（４３）が水流を検知し、該水流検知信号により、給湯操作がされたことがステップ（ＳＴ１）で確認される。次に、ステップ（ＳＴ２）で給気ファン（３１）を駆動させ、これにより、ガスバーナ（１３）へ燃焼用空気を供給する。次に、ステップ（ＳＴ３）で上記給気ファン（３１）が回転しているか否かを判断する。そして、給気ファン（３１）から出力されるパルス信号を監視し、該パルス信号が出力されていない場合は、給気ファン（３１）が回転していないものとみなして、ステップ（ＳＴ４）（ＳＴ５）の異常処理工程及び異常表示工程を実行する。即ち、ステップ（ＳＴ４）の異常処理工程に於いて、給気ファン（３１）を停止させる信号とガス元弁（１６）と閉じる信号を出力する。そして、ステップ（ＳＴ５）の異常表示工程において、給気ファン（３１）が異常状態にあることを示す異常コード「２７」（図３参照）の２桁目の数値「２」に対応する数の点滅回数（２回）だけ一定周期で桁表示ランプ（７２）を点滅させる（図５の上側のタイムチャート参照）。他方、上記異常コード２７の１桁目の数値「７」に対応する数の点滅回数（７回）だけ一定周期で桁表示ランプ（７３）を点滅させる（図５の下側のタイムチャート参照）。すると、給湯器の修理点検を行う作業者は、上記桁表示ランプ（７２）の点滅回数「２」と桁表示ランプ（７３）の点滅回数「７」から、異常コードが「２７」であることを認識し、図３に示す異常コード表の異常コード「２７」から、これに対応する異常内容「給気ファン異常」を検索することにより、給気ファン（３１）に異常が生じていることを確認することができる。
【００３２】
従って、本実施の形態では、異常コードの各桁を桁表示ランプ（７２）と他方の桁表示ランプ（７３）で各別に表示するから、単一の表示ランプで複数桁の異常コードを表示する場合に比べ、異常コード（上記の例では「２７」）を桁別に認識し易くなり、該異常コードからコード表を用いて具体的な異常の内容（上記の例では、「給気ファン異常」）を迅速に把握することができる。
そして、ステップ（ＳＴ５）の異常表示工程が実行されると、制御動作はステップ（ＳＴ１）の初期工程に戻される。
【００３３】
一方、ステップ（ＳＴ３）を実行したときに給気ファン（３１）が正常回転していることが確認できると、ステップ（ＳＴ６）で点火装置（２１）をＯＮ動作させると共に、ガス元弁（１６）を開いてガスバーナ（１３）にガス供給し、これにより、ガスバーナ（１３）への点火動作を実行する。
【００３４】
次に、ステップ（ＳＴ７）を実行してガスバーナ（１３）が点火されたか否かを判断する。具体的には、フレームロッド（２２）がガスバーナ（１３）の炎を検知しているか否かを判断する。そして、ガスバーナ（１３）が点火状態にない場合（点火ミスが発生した場合）は、既述ステップ（ＳＴ４）と同様の異常処理工程をステップ（ＳＴ８）で実行し、その後、ステップ（ＳＴ９）に於いて、点火ミスが発生したことを示す異常コード「１１」（図３参照）の２桁目と１桁目の数値「１」「１」に対応する数の点滅回数（１回）だけ桁表示ランプ（７２）と桁表示ランプ（７３）を各別に点滅させる。すると、給湯器の修理点検を行う作業者は、桁表示ランプ（７２）と他方の桁表示ランプ（７３）の点滅回数「１」から、異常コードが「１１」であることを認識し、図３に示す異常コード表の異常コード「１１」からこれに対応する異常内容「点火ミス」を検索することができる。
【００３５】
一方、ステップ（ＳＴ７）を実行したときに、ガスバーナ（１３）に正常点火されたことが確認できると、熱交換器（４１）部分で８０℃の高温水を沸かす給湯制御（ステップ（ＳＴ１０））が開始される。
【００３６】
そして、この給湯制御時には、ステップ（ＳＴ１１）（ＳＴ１４）の立ち消え検知工程及び過昇温検知工程を実行し、ステップ（ＳＴ１７）で給湯停止操作が検知されるまで（湯水混合栓（５１）等が閉じられて流量センサ（４３）が水流検知信号を出力しなくなるまで）給湯制御を実行する。そして、上記ステップ（ＳＴ１１）の立ち消え検知工程では、フレームロッド（２２）からの炎検知信号が消失すると、ガスバーナ（１３）が失火したと判断し、既述ステップ（ＳＴ４）と同じ内容の異常処理工程をステップ（ＳＴ１２）で実行し、その後、上記立ち消えを示す異常コード「１２」を既述と同様にして異常表示ランプ（７１）の桁表示ランプ（７２）と他方の桁表示ランプ（７３）で桁別に表示する。又、上記ステップ（ＳＴ１４）の過昇温検知工程では、燃焼箱（１２）が異常昇温して、これに添設された温度ヒューズ（３４）がＯＮ信号を出力すると、既述ステップ（ＳＴ４）と同じ内容の異常処理工程をステップ（ＳＴ１５）で実行し、その後、上記過昇温状態であることを示す異常コード「８２」を既述と同様にして異常表示ランプ（７１）の桁表示ランプ（７２）と桁表示ランプ（７３）で桁別に表示する。
【００３７】
尚、本実施の形態では、給気ファン（３１）の異常やガスバーナ（１３）の点火ミスの発生の有無等を判断する既述ステップ（ＳＴ３）（ＳＴ７）（ＳＴ１１）（ＳＴ１４）を実行するマイクロコンピュータの機能部が、既述発明特定事項たる異常検知手段に対応する。又、ステップ（ＳＴ５）（ＳＴ９）（ＳＴ１３）（ＳＴ１６）で異常コード「２７」「１１」「１２」「８２」を決定するマイクロコンピュータの機能部が既述コード特定手段に対応する。尚、上記各異常コードは、マイクロコンピュータのメモリーに確保したテーブル内に記憶させても良いが、プログラムに直接書き込んでおいてもよく、種々の手法を採用することができる。
【００３８】
尚、上記実施の形態では、桁表示ランプ（７２）を緑色の発光ダイオードで形成する一方、他方の桁表示ランプ（７３）を赤色の発光ダイオードで形成しているから、異常コードＸＹの各桁の識別が容易に行える。特に、暗い場所に設置された給湯器の内部を点検する場合や、給湯器の本体ケース（１１）に形成された種々の間隙から器具内部を覗き込んで作業する為に桁表示ランプ（７２）や桁表示ランプ（７３）が見えにくい場合には、前記間隙等から漏れる発光色によって上記異常コードの桁を特定することができ、異常コードの識別が容易に行える。
【００３９】
尚、上記実施の形態では、桁表示ランプ（７２）や桁表示ランプ（７３）の点滅を一定周期で行わせるようにしたが、桁表示ランプ（７２）と他の桁表示ランプ（７３）が短時間周期で点滅する短時間点滅と、複数回数（例えば５回）の短時間点滅に対応する点灯時間長さを有する長時間点滅を行えるようにし、これら短時間点滅と長時間点滅の組合せによって異常コードを表示できるようにしてもよい。具体的には、既述給気ファン異常を示す異常コード「２７」を表現する場合には、図６に示すように、桁表示ランプ（７２）を短時間周期で２回点滅させる一方、桁表示ランプ（７３）を長時間周期で１回点滅させる（短時間点滅の５回分の点滅を表している）と共に、該桁表示ランプ（７３）を短時間周期で２回点滅させる。これにより桁表示ランプ（７３）の短時間周期の点滅回数「２」と長時間周期の１回の点滅（短時間周期の５回分に対応する）のによって、上記異常コード２７の１桁目の「７」を表現することができる。このようにすると、作業者は桁表示ランプ（７３）が７回点滅するのを数える必要がなく、数える回数（本実施の形態では３回）が少なくなって作業性が向上する。
【００４０】
尚、２桁を超えるｎ桁構成の異常コードを表現する場合は、各桁に対応するｎ個の桁表示ランプを設け、異常コードの各桁の数値を、これらに各別に対応する各桁表示ランプで上記と同様に点滅表示させるようにしてもよい。
【００４１】
［第２実施形態］
図７に示す第２実施形態は、配線基板（６２）に設けられた異常表示ランプ（７１）を、一つの二色発光ダイード（７５）で構成した点を除いて、既述第１実施形態のものと同様に構成されている。
【００４２】
このものでは、既述異常コード「２７」を表す場合には、図８に示すように、上記二色発光ダイード（７５）を一定周期で２回だけ緑色で点滅させ、その後、一定周期で７回赤色で点滅させる。このようにすると、単一の二色発光ダイード（７５）で二桁の異常コードを桁別に表現することができる。又、二色発光ダイード（７５）を二個以上設ければ、該二色発光ダイード（７５）の配設数の二倍の桁で構成される異常コードを桁別に表現することができる。
【００４３】
尚、本実施の形態においても、二色発光ダイード（７５）が各発光色で短時間周期で点滅する短時間点滅と、複数回数（例えば５回）の短時間点滅に対応する点灯時間長さを有する長時間点滅を行えるようにし、第１実施形態に於ける図６の場合と同様、これら短時間点滅と長時間点滅の組合せによって異常コードを表示できるようにしてもよい。
【００４４】
［第３実施形態］
図９に示す第３実施形態は、配線基板（６２）に設けられた異常表示ランプ（７１）に代えて、異常報知ブザー（８１）が設けられている点を除いて、既述第１実施形態のものと同様に構成されている。
そして、前記異常報知ブザー（８１）は、２桁構成の異常コードの２桁目を表す第２の音とこれと周波数が異なり且つ１桁目を表示する第１の音を出す機能を備えている。
【００４５】
このものでは、既述異常コード「２７」を表す場合には、図１０に示すように、上記異常報知ブザー（８１）を一定周期で２回だけ第２の音が出るように動作させ、その後、一定周期で７回だけ第１の音が出るように動作させる。このようにすると、給湯器の本体ケース（１１）を開放しなくても異常報知ブザー（８１）の音を聞くことができるから、異常コードを調べる作業が簡易・迅速に行える。
【００４６】
尚、異常報知ブザー（８１）が、第１の音と第２の音で短時間周期で鳴動する短時間鳴動と、複数回数（例えば５回）の短時間鳴動に対応する長時間鳴動を実行するようにし、既述第１実施形態の第６図の場合と同様、これら短時間鳴動と長時間鳴動の組合せによって異常コードを表示できるようにしてもよい。
【００４７】
尚、上記各実施形態は、本発明を出湯温固定式の給湯器に適用した場合を例示的に説明したが、図１の想像線で示すように、給湯温設定スイッチ（９３）（９３）を備えたリモコン装置（９１）を電装装置（６１）に接続する形式の給湯器に本願発明を適用してもよい。この場合も、電装装置（６１）に設けた異常表示ランプ（７１）や異常報知ブザー（８１）によって上記異常コードを表示又は報知するが、該表示等と同時に、リモコン装置（９１）のリモコン表示部（９２）に上記異常コードを数字等で表示しても良い。この場合、給湯器の修理点検を行う作業者は、既述したように別途用意した作業用のリモコン装置を台所等のリモコン装置の接続端子に付け替える必要がなく、器具本体が設置された修理点検場所で上記異常コードを確認することができる効果があることは、既述各実施の形態で説明したのと同様である。
【００４８】
又、第１実施形態のものでは、緑色の発光ダイオードで一方の桁用の桁表示ランプ（７２）を構成する一方、赤色の発光ダイオードで他方の桁用の桁表示ランプ（７３）を構成したが、これら両桁表示ランプ（７２）（７３）を共に二色発光ダイオードで構成してもよい。そして、両桁表示ランプ（７２）（７３）が正常か否かを監視し、両桁表示ランプ（７２）（７３）が正常な場合は、既述第１実施形態で説明した態様でこれら両表示ランプ（７２）（７３）を点滅させる一方、一方の桁表示ランプが故障した場合は、既述第２実施形態で説明した態様で他方の正常な桁表示ランプを点滅させるように制御を切り替える。このようにすると、例えば、一方の桁表示ランプ（７２）が故障した場合でも、他方の桁表示ランプ（７３）を用いて異常表示を行うことができる利点がある。又、両桁表示ランプ（７２）（７３）として異なった発光色の発光ダイオードを使用する必要がなく、部品の共通化が図れる。又、異なった発光色の発光ダイオードを使用する場合は、誤って、両桁間で間違った発光色の発光ダイオードを接続してしまう心配があるが、二色発光ダイオードを使用すれば、かかる接続間違いの問題がなくなる。
【００４９】
又、上記各実施の形態では、１０進数２桁の異常コードを表示する場合について説明したが、第１項〜６項の発明は、３桁以上の１０進数で表される異常コードや、１６進数複数桁の異常コード等、種々の異常コードを表示する場合にも適用できる。
【００５０】
尚、上記各実施の形態では、本願発明を給湯器に適用した場合を例示的に説明したが、本願発明は、ガスコンロや炊飯器等の種々の燃焼装置の異常を表示する場合に適用することができる。
【図面の簡単な説明】
【図１】本発明の実施の形態に係る給湯器の内部構造を示す概略図
【図２】配線基板（６２）の説明図
【図３】異常コードＸＹと異常内容の関係を示す異常コード表
【図４】本発明の第１実施形態に係る給湯器の動作説明図
【図５】桁表示ランプ（７２），桁表示ランプ（７３）の点滅態様を示すタイムチャート
【図６】桁表示ランプ（７２），桁表示ランプ（７３）の点滅態様を示すタイムチャート
【図７】第２実施形態の給湯器に用いられる二色発光ダイード（７５）の点滅態様を示すタイ　　　　　　　　ムチャート
【図８】第２実施形態の給湯器に用いられる配線基板（６２）の平面図
【図９】第３実施形態の給湯器に用いられる配線基板（６２）の平面図
【図１０】異常報知ブザー（８１）の動作を説明するタイムチャート
【符号の説明】
（６２）・・・配線基板
（７１）・・・異常表示ランプ
（７２）（７３）・・・桁表示ランプ
（７５）・・・二色発光ダイオード
（８１）・・・異常報知ブザー
【図１】
2004036900.tif 000003
【図２】
2004036900.tif 000004
【図３】
2004036900.tif 000005
【図４】
2004036900.tif 000006
【図５】
2004036900.tif 000007
【図６】
2004036900.tif 000008
【図７】
2004036900.tif 000009
【図８】
2004036900.tif 000010
【図９】
2004036900.tif 000011
【図１０】
2004036900.tif 000012